【手続補正書】
【提出日】平成18年3月14日(2006.3.14)
【手続補正１】
【補正対象書類名】明細書
【補正対象項目名】発明の名称
【補正方法】変更
【補正の内容】
【発明の名称】撮像装置
【手続補正２】
【補正対象書類名】明細書
【補正対象項目名】特許請求の範囲
【補正方法】変更
【補正の内容】
【特許請求の範囲】
【請求項１】
撮影部と、
上記撮影部の後部に配置された第１の表示部と、
上記撮影部及び上記第１の表示部の下部に配置され、撮影画像等を主記録媒体に記録、再生するメカデッキ部と、
上記メカデッキ部の一側部に配置された開閉式の第２の表示部モニター部とを備えた撮像装置において、
カード型記録媒体に撮影画像等を記録、再生するカード型記録装置を上記撮影部及び上記第１の表示部の下部で、上記メカデッキ部と上記第２の表示部で囲まれた空間内にこれらメカデッキ部及び第２の表示部とほぼ平行状に配置した
ことを特徴とする撮像装置。
【請求項２】
撮影部と、
上記撮影部の後部に配置された第１の表示部と、
上記撮影部及び上記第１の表示部の下部に配置され、撮影画像等を主記録媒体に記録、再生するメカデッキ部と、
上記メカデッキ部の一側部に配置された開閉式の第２の表示部と、
上記メカデッキ部と上記第２の表示部との間に平行状に配置されて、上記撮影部、上記第１の表示部及び上記第２の表示部との間で画像信号等の授受を行う制御部とを備えたビデオカメラにおいて、
カード型記録媒体に撮影画像等を記録、再生するカード型記録装置を上記撮影部及び上記第１の表示部の下部で、上記制御部と上記第２の表示部で囲まれた空間内にこれら制御部部及び第２の表示部とほぼ平行状に配置した
ことを特徴とする撮像装置。
【請求項３】
撮影部と、
上記撮影部の後部に配置された第１の表示部と、
上記撮影部及び第１の表示部の下部に配置され、撮影画像等をテープ状記録媒体又はディスク状記録媒体等の主記録媒体に記録、再生するメカデッキ部と、
上記メカデッキ部の一側部に配置た開閉式の第２の表示部と、
上記メカデッキ部の一側部で上記第２の表示部の下部に脱着可能に装着されたバッテリー部とを備えたビデオカメラにおいて、
カード型記録媒体に撮影画像等を記録、再生するカード型記録装置を上記撮影部及び上記第１の表示部の下部で、上記メカデッキ部と上記第２の表示部と上記バッテリー部で囲まれた空間内にこれらメカデッキ部及び第２の表示部とほぼ平行状に配置した
ことを特徴とする撮像装置。
【請求項４】
上記第２の表示部を開くことにより、上記カード型記録装置内部に装着されている上記カード型記録媒体を外部に露呈させる窓穴を形成した
ことを特徴とする請求項１又は請求項２又は請求項３に記載の撮像装置。
【請求項５】
上記カード型記録装置を上記制御部の基板に直接取り付けた
ことを特徴とする請求項１又は請求項２又は請求項３又は請求項４に記載の撮像装置。
【請求項６】
上記カード型記録装置の上記カード型記録媒体挿入口をカメラ本体の後面に開口させた
ことを特徴とする請求項１又は請求項２又は請求項３又は請求項４又は請求項５に記載の撮像装置。
【手続補正３】
【補正対象書類名】明細書
【補正対象項目名】０００１
【補正方法】変更
【補正の内容】
【０００１】
【発明の属する技術分野】
本発明は、例えばビデオカメラレコーダ等に適用すのに最適な撮像装置であって、特に、カード型記録媒体に撮影画像中の静止画データ等を記録、再生することができるようにいたカード型記録装置に関する技術分野に属するものである。
【手続補正４】
【補正対象書類名】明細書
【補正対象項目名】０００４
【補正方法】変更
【補正の内容】
【０００４】
そこで、カード型記録再生装置を内蔵した縦形のビデオカメラレコーダとして図１１に示すものがある。このビデオカメラレコーダ１０１は縦形のカメラ本体１０２を有していて、そのカメラ本体１０２内の上部にレンズ１０３を有する撮影部１０４とビューファインダー部１０５とが前後に並べられてほぼ同一の光軸Ｐ１上に水平に配置され、そのカメラ本体１０２内で撮影部１０４とビューファインダー部１０５の下部にメカデッキ部１０６が光軸Ｐ１と平行で垂直状に配置されている。そして、メカデッキ部１０６にはビデオカセット１０７内のビデオテープに画像データ等を記録、再生する記録再生部が備えられていて、そのビデオカセット１０７を脱着するためのカセットカバー１０８がカメラ本体１０２の右側面（但し、ビデオカメラレコーダ１０１を後方から見た状態での右側面である）に右横方向に開閉自在に取り付けられている。そして、そのカセットカバー１０８は平面形状がほぼＬ型に形成されていてカメラ本体１０２の右側面及後面の一部に兼用されている。
【手続補正５】
【補正対象書類名】明細書
【補正対象項目名】００１２
【補正方法】変更
【補正の内容】
【００１２】
本発明は、上記の問題を解決するためになされたものであって、薄型化が可能であり、配線等の信頼性も向上することができるようにした撮像装置を提供することを目的としている。
【手続補正６】
【補正対象書類名】明細書
【補正対象項目名】００１３
【補正方法】変更
【補正の内容】
【００１３】
【課題を解決するための手段】
上記の目的を達成するための本発明のビデオカメラレコーダの請求項１は、撮影部及び第１の表示部の下部に撮影画像等をテープ状記録媒体又はディスク状記録媒体等の主記録媒体に記録、再生するメカデッキ部を配置し、そのメカデッキ部の一側部に開閉式の第２の表示部を配置した撮像装置において、カード型記録媒体に撮影画像等を記録、再生するカード型記録装置を撮影部及び第１の表示部の下部で、メカデッキ部と第２の表示部で囲まれた空間内にこれらメカデッキ部及び第２の表示部とほぼ平行に配置したものである。
また、上記の目的を達成するための本発明の撮像装置の請求項２は、撮影部及び第１の表示部の下部に撮影画像等をテープ状記録媒体又はディスク状記録媒体等の主記録媒体に記録、再生するメカデッキ部を配置し、そのメカデッキ部の一側部に開閉式の第２の表示部を配置すると共に、第１の表示部と第２の表示部との間で画像信号等の授受を行う制御部をメカデッキ部と第２の表示部との間に平行状に配置した撮像装置において、カード型記録媒体に撮影画像等を記録、再生するカード型記録装置を撮影部及び第１の表示部の下部で、制御部と第２の表示部で囲まれた空間内にこれら制御部及び第２の表示部とほぼ平行に配置したものである。
また、上記の目的を達成するための本発明の撮像装置の請求項３は、撮影部及び第１の表示部の下部に撮影画像等をテープ状記録媒体又はディスク状記録媒体等の主記録媒体に記録、再生するメカデッキ部を配置し、そのメカデッキ部の一側部に開閉式の第２の表示部を配置すると共に、メカデッキ部の一側部で第２の表示部の下部に脱着可能なにバッテリー部を配置したビデオカメラにおいて、カード型記録媒体に撮影画像等を記録、再生するカード型記録装置を撮影部及び第１の表示部の下部で、メカデッキ部と第２の表示部とバッテリー部で囲まれた空間内にこれらメカデッキ部及び第２の表示部とほぼ平行に配置したものである。
【手続補正７】
【補正対象書類名】明細書
【補正対象項目名】００１４
【補正方法】変更
【補正の内容】
【００１４】
上記のように構成された本発明の撮像装置の請求項１、請求項２、請求項３によれば、カード型記録媒体に撮影画像等を記録、再生するカード型記録再生装置を内蔵したビデオカメラにおいて、従来デッドスペースになっていた撮影部及び第１の表示部の下部で、少なくともメカデッキ部及び／又は制御部と第２の表示部で囲まれた空間内にカード型記録再生装置を効果的に収容することができ、従来、カード型記録再生装置を収容するために必要であったメカデッキ部の第２の表示部とは反対側の張り出し部を除去することができる。
【手続補正８】
【補正対象書類名】明細書
【補正対象項目名】００１５
【補正方法】変更
【補正の内容】
【００１５】  
【発明の実施の形態】
以下、本発明を適用した撮像装置としてのビデオカメラレコーダの実施の形態を図１〜図１０を参照して説明する。
【手続補正９】
【補正対象書類名】明細書
【補正対象項目名】００１６
【補正方法】変更
【補正の内容】
【００１６】
まず、図１〜図８に示すように、このビデオカメラの一例であるビデオカメラレコーダ１は後述するカード型記録再生装置１４を内蔵した縦形で、かつ、薄型のビデオカメラレコーダに構成されている。そして、このビデオカメラレコーダ１は縦形で、薄型のカメラ本体２を有していて、そのカメラ本体２内の上部にはレンズ３及び固体撮像素子（ＣＣＤ）を有する撮影部４と第１の表示部であるビューファインダー部５とが前後に並べられてほぼ同一の光軸Ｐ１上に水平に配置されている。なお、撮影部４はレンズ３及び固体撮像素子によって撮影対象となる被写体を撮影して画像信号を生成するものであり、ビューファインダー部５は撮影部４で撮影された画像やのこビデオカメラレコーダ１の動作モード等を表示する液晶表示部に構成されている。そして、そのカメラ本体２内で撮影部４とビューファインダー部５の下部にメカデッキ部６が光軸Ｐ１と平行で垂直状に配置されていて、このメカデッキ部６には主記録媒体を構成しているテープ状記録媒体であるビデオカセット７内のビデオテープに画像データ等を記録、再生する記録再生部が備えられている。そして、そのビデオカセット７を脱着するためのカセットカバー８がカメラ本体２の右側面（但し、ビデオカメラレコーダ１を後方から見た状態での右側面である）２ａに右横方向に開閉自在に取り付けられている。そのカセットカバー８は平面形状がほぼＬ型に形成されていて、そのカセットカバー８の右側面８ａ及び左側面８ｃがカメラ本体２の右側面２ａ及後面２ｃの一部に兼用されている。
【手続補正１０】
【補正対象書類名】明細書
【補正対象項目名】００１７
【補正方法】変更
【補正の内容】
【００１７】
そして、カメラ本体２の左側面２ｂ（同様に、ビデオカメラレコーダ１を後方から見た状態での左側面である）の内側でメカデッキ部６との間に制御部９が光軸Ｐ１と平行で垂直状に配置され、そのカメラ本体２の左側面２ｂの外側に第２の表示部である液晶モニター部１０が光軸Ｐ１と平行で垂直状に配置されていて、その液晶モニター部１０は左横方向に開閉自在に取り付けられている。なお、液晶モニター部１０は撮影部４によって撮影される画像やビデオテープの再生画像等をモニター画面である液晶画面１０ａに表示するものである。そして、カメラ本体２の左側面２ｂの外側における後面２ｃ側に偏位された位置で液晶モニター部１０の下部にバッテリー部であるバッテリー装着部１１が配置されていて、そのバッテリー装着部１１に携帯用の電源であるバッテリー１２が交換可能に装着されている。そして、この制御部９は主制御回路が実装された大型の基板である主制御基板９ａと副制御回路が実装された小型の基板である副制御基板９ｂとで構成されていて、主制御基板９ａがカメラ本体２の左側面２ｂの内側でメカデッキ部６との間に光軸Ｐ１と平行で垂直状に配置されていて、副制御基板９ｂはカメラ本体２の前面２ｄの内側でメカデッキ部６との間に光軸Ｐ１に対し直角な垂直状に配置されている。